(57)【特許請求の範囲】
【請求項１】
再生装置であって、
文書シートの画像情報を光電的に電気的画像情報に変換するスキャナー手段と、
電気的画像情報を格納するメモリ手段と、
電気的画像情報を文書シートに印刷するプリンタ手段と、
前記再生装置を制御信号により制御する制御手段と、
該制御手段へ供給されるべき操作信号を生成するユーザインターフェース手段とを備え、
該ユーザインターフェース手段は、
選択される装置機能の群を表示する表示スクリーンと、
前記制御手段へ供給されるべき第１の操作信号を生成することにより、前記表示スクリーンに表示されるべき装置機能の群を選択する第１の選択手段と、
前記表示スクリーンに表示された装置機能を選択し、それに対応する第２の操作信号を生成して前記制御手段へ供給する第２の選択手段とを備え、
前記装置機能の群は、
文書の全文書シートに関連する文書装置機能を含む第１の群と、
特定の文書シートに関連する文書シート装置機能を含む第２の群と、
特定の文書シートの特定の領域に関連する文書領域装置機能を含む第３の群とを含み、
前記第１の選択手段は、前記表示スクリーンに表示された標準メニューに表示されており、前記標準メニューから直接的に、文書、ページ、又は領域選択信号により、それぞれ、前記第１、第２、又は第３の装置機能群の何れかの選択可能な機能のうち少なくとも幾つかの前記表示スクリーン上での表示を選択するためのものであることを特徴とする再生装置。
【請求項２】
前記操作手段は、前記第１、第２，又は第３の装置機能群が前記文書、ページ、又は領域選択信号により選択されたか否かを示す発信手段を備えることを特徴とする請求項１記載の再生装置。
【請求項３】
前記第１の選択手段は、表示スクリーン上に表示された標準スクリーンから、基本、印刷品質、及び特殊選択信号により、基本機能、印刷品質機能、及び特殊機能に関連する選択可能な装置機能のうち少なくとも幾つかの前記表示スクリーン上での表示を選択するのに適することを特徴とする請求項２記載の再生装置。
【請求項４】
前記操作手段は、前記基本、印刷品質、又は特殊機能の何れかが前記基本、印刷品質、及び特殊選択信号により選択されたか否かを示す発信手段を備えることを特徴とする請求項３記載の再生装置。
【請求項５】
前記第１の選択手段は、前記標準スクリーンに表示された標準スクリーンから、複写、スキャナー、又は印刷選択信号により、それぞれ、複写、スキャン、又は印刷に関連する装置機能の前記表示スクリーン上での表示を選択するのに適することを特徴とする請求項１乃至４のうち何れか１項記載の再生装置。
【請求項６】
前記操作手段は、複写、スキャン、又は印刷の何れかに関連する装置機能が前記複写、スキャン、又は印刷選択信号により選択されたか否かを示す発信手段を備えることを特徴とする請求項５記載の再生装置。
【請求項７】
前記第１の選択手段は、前記表示スクリーンに表示された標準スクリーンから、新規ジョブ又は既存ジョブ選択信号により、それぞれ新規又は既存の複写ジョブ、スキャンジョブ、又は印刷ジョブの定義又は変更に関連する装置機能の前記表示スクリーン上での表示を選択するのに適することを特徴とする請求項１乃至６のうち何れか１項記載の再生装置。
【請求項８】
前記操作手段は、新規ジョブの定義又は既存ジョブの変更のいずれかに関連する装置機能が前記新規ジョブ選択信号又は既存ジョブ選択信号により選択されたか否かを示す発信手段を備えることを特徴とする請求項６記載の再生装置。
【請求項９】
前記第１の選択手段は前記表示スクリーンの近傍に配設されたキーとして構成され、
前記発信手段は、それぞれ、前記表示スクリーン上に表示され、キーに対応する独立して制御可能な発信領域として構成され、該発信領域は、該発信領域に対応する選択が対応する前記キーにより選択されたか否かを示すのに適することを特徴とする請求項１乃至８のうち何れか１項記載の再生装置。
【発明の詳細な説明】
【０００１】
【発明の属する技術分野】
本発明は、文書シートの画像情報を光電的に電気的画像情報に変換するスキャナー手段と、電気的画像情報を格納するメモリ手段と、電気的画像情報を文書シートに印刷するプリンタ手段と、再生装置を制御信号により制御する制御手段と、制御手段へ供給されるべき操作信号を生成するユーザインターフェース手段とを備え、ユーザインターフェース手段は、選択される装置機能の群を表示する表示スクリーンと、制御手段へ送られるべき第１の操作信号を生成することにより表示スクリーンに表示されるべき装置機能の群を選択する第１の選択手段と、表示スクリーンに表示された装置機能を選択し、それに対応する第２の操作信号を生成して制御手段へ送る第２の選択手段とを備え、装置機能の群は、文書の全文書シートに関連する文書装置機能の第１の群と、特定の文書シートに関連する文書シート装置機能の第２の群と、特定の文書シートの特定の領域に関連する文書領域装置機能の第３の群とよりなる再生装置に関する。
【０００２】
【従来の技術】
欧州特許ＥＰ０  ５２１  １２７には、画像スクリーン及び制御パネルを備えた同様の複写装置が記載されている。この装置の場合、スクリーンに表示され、実行されるべき装置機能は、制御パネルの操作ノブにより選択される。装置機能は多数であるため、その全てを同時にスクリーンに表示することはできない。最初は、スクリーンは標準設定として限られた数の選択可能な標準装置機能を表示する。それ以外の特殊な装置機能は、制御パネルのノブにより呼び出される新たな表示画面に表示される。一般的な標準装置機能を含む標準基本スクリーンに加えて、種々のページからなる文書に関連する装置機能を含むスクリーンを選択することができる。これはジョブとして示される。この場合、選択されるべき装置機能は、文書を構成する全てのページに適用され、かつ／又は、ソーティングやホチキス止め等の種々のページからなる文書に対する特定の装置機能に関連する。標準スクリーン及びジョブ用スクリーンの代わりに、特定のページに関連する装置機能を備えるスクリーンを選択することもできる。特定のぺージに関連する装置機能はそのスクリーンに表示される。
【０００３】
【発明が解決しようとする課題】
上述した構成の欠点は、装置機能が分割されることにより余分な操作が必要となることである。先ず、基本スクリーンから特殊装置機能用キーを操作することが必要であり、その後、ジョブ用スクリーンがユーザの前に現れる。次に、ページ用スクリーンに進むためキーを操作しなければならない。ページの一部用の装置機能を表示することが必要であれば、このスクリーンを呼び出すためにページ用スクリーンから更にキーを操作しなければならない。
【０００４】
上記構成のもう一つの欠点は、最初の段階では、標準スクリーンに示される装置機能以外の多くの装置機能がユーザに対して隠されることである。ジョブ用又はページ用の特殊機能、及び、特に、ページの一部に関連する機能は標準スクリーンには直接的には現れない。
米国特許第５，０７９、７２３号には、スクリーンの領域に触れることで選択できる表示スクリーンにより操作を行う複写機が記載されている。選択可能な装置機能は、対応するアイコンによって表示され、このアイコンは、タブカードに類似の種々のウインドウに分配されている。これらのウインドウは部分的に重なり合った状態で表示され、ウインドウのラベル又はタブに触れられると、その全体が前面に表示される。選択可能な主なウインドウは、標準文書用標準ウインドウ、複写綴り文書用ウインドウ、及び大型文書用ウインドウである。標準文書用主ウインドウの内側には、対応するタブを備える連続した複数の二次ウインドウが存在する。二次ウインドウは、標準装置機能プログラム用ウインドウとページに関連する装置機能用ウインドウとに分割されている。原稿処理、複写処理、複写品質、及び仕上げに関連する複数のアイコンが、標準装置機能プログラム用二次ウインドウの一部に表示される。これらのアイコンの１つに触れると、そのアイコンに対応する複数の装置機能が、二次カードの他の部分に表示される。
【０００５】
ページに関連する装置機能プログラム用二次ウインドウは、特殊ページを挿入し、文書の章の始まりを指定し、特定のページの複写品質を設定するためのアイコンを備える。
更に、表示スクリーンは主ウインドウだけではなく、現在又は将来の文書に対するプログラムモードを設定するアイコンをも備える。
【０００６】
重なり合ったウインドウの常に見えるタブにより、ユーザは、装置機能を収容する複数の群の印象を有するが、その一方で、装置機能の分割は、依然として、標準装置機能を含む二次ウインドウと、特定ページに関連する装置機能を含む二次ウインドウとに限定されている。しかしながら、文書用特殊装置機能を備える特定のウインドウは存在しない。文書用の典型的な装置機能、すなわち、仕上げは、例えば標準装置機能を備えるウインドウに収容される。
【０００７】
米国特許第５  １１９  ０７９号には、タブカードに類似し、接触により選択可能なウインドウを備える表示スクリーンについて記載されている。表示スクリーン上で、主ウインドウによりそれぞれ表示される次の３つのモードから選択することができる：ジョブ関連標準装置機能用ウインドウを備えるジョブプログラムモード、ジョブの全てのページについての装置機能用ウインドウを備えるページプログラムモード、及び、表紙関連の装置機能用ウインドウを備える表紙プログラムモードである。領域用又は特定ページ用装置機能は、やはり上記プログラムモードの一つから選択可能なサブプログラムモードに収容されている。例えば、カットアンドペースト・サブプログラムモードや、特定ページの挿入といった装置機能を備えるジョブサブモード等である。
【０００８】
これに対して、本発明に係る装置は、上記の欠点を排除することを目的としたものである。
【０００９】
【課題を解決するための手段】
上記の目的は、前記第１の選択手段は、前記表示スクリーンに表示された標準メニューから、文書、ページ、又は領域選択信号により、それぞれ、前記第１、第２、又は第３の装置機能群の何れかの選択可能な機能のうち少なくとも幾つかの前記表示スクリーン上での表示を選択するのに適することを特徴とする再生装置により達成される。
【００１０】
本発明によれば、ユーザにとって、何ら操作を行うことなく、文書の全文書シート、文書シート自体、又は文書の領域の何れかに関連する機能を設定又は選択できることが直ちに明らかとなる。特に、文書シートの領域に関連する機能及び設定に対するオプションが、表示されていないサブメニューに隠されることはない。ユーザは、標準及びデフォルト主メニューから直ちに領域レベルの選択可能な機能及び設定の表示を選択することができる。
【００１１】
かかる再生装置をたまにしか使用しないユーザにとって特に有益である。
本発明に係るもう一つの有利な実施例において、操作手段は、装置機能の第１、第２、又は第３の群が、文書、ページ、及び領域選択信号により選択されたか否かを示す発信手段を備える。
その結果、ユーザが選択している機能又は行っている設定のレベルがユーザに対して明らかとなる。これは、例えば拡大縮小、明るさ、コントラスト、あるいは文書シートに印刷すべき画像の位置といった、文書、ページ、又は領域レベルで実行され得る設定の場合に特に有利である。レベルの選択によって、これらの設定は文書の全文書シートに適用され、又は、１枚の文書シートに適用され、又は、文書シートの領域に適用される。
【００１２】
本発明に係るもう一つの有利な実施例において、第１の選択手段は、表示スクリーンに表示される標準スクリーンから、基本、印刷品質、及び特殊選択信号により、それぞれ、基本機能、印刷品質機能、及び特殊機能に関連する選択可能な装置機能のうち少なくとも幾つかの表示スクリーン上の表示を選択するのに適する。
【００１３】
例えば文書、ページ、又は領域レベル等の機能が関連するレベルが特定して選択された場合に、選択されたレベルにおいて機能を選択的に提供することにより、ユーザにとって全体像がより明らかとなる。この場合、基本機能は、例えばスキャン及び／又は片面又は両面印刷を指示する等の、操作の選択に必要な最小限の機能に関連する。複写品質機能は、標準設定では不適切な複写品質、例えばコントラスト設定しか得られない場合に変更され得る。
【００１４】
操作手段が、基本、印刷品質、又は特殊機能の何れかが基本、印刷品質、及び特殊選択信号により選択されたか否かを示す送信手段を備えるならば、ユーザの全体像はより増大する。
表示された機能が関連する選択されたレベルに対する送信手段と共に、特定のレベルで選択された機能のカテゴリーを表示することにより、ユーザは全体像を持ち続けることができる。
【００１５】
第１の実施例は、更に、前記第１の選択手段は、前記標準スクリーンに表示された標準スクリーンから、複写、スキャナー、又は印刷選択信号により、それぞれ、複写、スキャン、又は印刷に関連する装置機能の前記表示スクリーン上での表示を選択するのに適することを特徴とする。操作されるべき再生装置の複合特性はユーザに対してより明瞭となる。
【００１６】
第２の実施例は、前記第１の選択手段は、前記標準スクリーンに表示された標準スクリーンから、新規ジョブ又は既存ジョブ選択信号により、それぞれ新規又は既存の複写ジョブ、スキャンジョブ、又は印刷ジョブの定義又は変更に関連する装置機能の前記表示スクリーン上での表示を選択するのに適することを特徴とする。第１の実施例の如く、ユーザが再生装置の複合特性に直面する代わりに、第２の実施例では、ユーザは、機能の選択を行うのか、既に格納された画像情報に対する設定を行うのか、例えばこれからスキャンされる新たな画像情報に対する設定を行うのかについて質問される。従って、この場合、ジョブは、選択された機能、及び、既に格納され又はこれからスキャンされる文書に対してなされた設定の集合とみなされる。
【００１７】
最後に、再生装置の実際的な実施例は、前記第１の選択手段は前記表示スクリーンの近傍に配設されたキーとして構成され、前記発信手段は、それぞれ、前記表示スクリーン上に表示され、キーに対応する独立して制御可能な発信領域として構成され、該発信領域は、該発信領域に対応する選択が対応するキーにより選択されたか否かを示すのに適することを特徴とする。ソフトキーとも称されるかかる種類のキーはユーザインターフェースにとって好ましい。
【００１８】
【発明の実施の形態】
以下、図面を参照して本発明に係る装置について詳細に説明する。
図１は、再生装置１０２の選択可能装置機能を表示する操作手段１０１の配置を示す。再生装置１０２は、フィーダに設置された原稿シート又は原稿シートのスタックをスキャナー手段１０４へ自動的に供給する自動ページフィーダ１０３を備えている。スキャナー手段１０４は供給された原稿シートを光学的にスキャンし、ＣＣＤ等の光電センサにより光学的情報を電気的画像信号に変換する。再生装置１０２は、また、電気的画像信号をシート紙等の画像担体に印刷する画像形成モジュールを備えている。画像形成は種々の方法で行うことができる。例えば、光導電体、レーザ又はＬＥＤ露光による電子写真式により、又は、例えばインクジェット式により行うことができる。更に、画像形成は白黒に限らず、補助色又はフルカラーであってもよい。再生装置は、また、印刷されるシート紙用のマガジン１０６及び印刷されたシート紙を処理し蓄積する処理モジュール１０７を備えている。再生装置１０２は、更に、画像処理モジュール１０８を備えている。画像処理モジュール１０８には電気的画像信号を格納する電子メモリが設けられている。
【００１９】
図２は、図１の操作手段１０１をより詳細に示す。操作手段１０１は表示パネル２０１及び操作パネル２０２を備えている。操作パネル２０２は再生装置用の通常のキーを備えている。開始キー２０３は、例えばページフィーダ１０３へ供給された原稿シートの複写等の、再生装置により実行されるべきジョブを開始させる。開始キー２０３は設定を確認することをも目的としている。原稿シートの印刷部数は、数値キー２０４により設定することができ、ディスプレイ２０５により表示することができる。更に、任意の印刷操作を中断させる停止キー２０６も設けられている。停止キー２０６が一度押されると、印刷は設定リミットで中断され、二度押されると印刷はページリミットで中止される。訂正キー２０７は、スキャンの実行中である場合に、印刷の間にスキャンを中断させる。２度押すことにより設定された複写部数を訂正することができ、３度押すことにより調整を訂正することができる。スキャンが実行されていなければ、、訂正キー２０７を一度押すことにより設定を直ちに訂正することができる。中断キー２０８は、現在のジョブ又はその間に実行すべきジョブを一時的に中断させるのに用いられる。最後に、セット丁合キー２０９が設けられている。セット丁合キー２０９は、スキャン後に原稿シートが原稿セットとして格納されるのみで印刷されないモードを起動する。セット丁合モードはセット丁合キー２０９を再び押すことにより終了される。
【００２０】
表示パネル２０１は、２５６色を同時に表示することが可能なＬＣＤカラー型表示スクリーン２１０を備えている。そのサイズはＡ５シートフォーマットと同等である。スクリーンの内容は画素レベルで指定することができる。
表示スクリーン２１０の周囲には、表示スクリーン２１０の特定の領域に機能的に結合され得る複数のキーが配設されている。キー２１１を押すと、再生装置は、複写機として機能する複写モードに設定される。複写モードでは、供給された原稿シートがスキャンされて印刷される。キー２１１に対応する領域２１４は、例えば領域２１４に表示されるテキストのコントラストの増加により、このモードが起動されたことを示す。キー２１２は再生装置を、領域２１５で示されるスキャンモードに設定する。スキャンモードでは、再生装置はスキャナーとして機能し、供給された原稿シートはスキャンされ、得られた画像情報自体が内部又は外部の画像メモリに格納される。最後に、キー２１３は再生装置を、領域２１６で示される印刷モードに設定する。印刷モードでは、装置は、再生装置に格納され、又は、外部ソースから供給された電気的画像情報の印刷に適したプリンタとして機能する。選択されたモードに応じて、選択されたモードに関連する操作機能及び設定のみが表示スクリーン２１０に表示される。含まれる操作機能及び設定について、以下、図面を参照して説明する
領域２１７−１及び２１７−２は機械メッセージの表示に用いられる。スキャナー部に関連するメッセージは領域２１７−１に表示され、印刷部に関連するメッセージは領域２１７−２に表示される。
【００２１】
キー２１８は設定及び機能が指定されるレベルを選択する。３つのレベルが区別される。すなわち、文書レベル、ページレベル、及び領域レベルである。「領域」という語は、種々のページからなる文書の特定のページの一部を意味する。常に１つのレベルのみを選択することができる。選択されたレベルは対応する領域２１９、２２０及び２２１のコントラストを増加させることにより表示される。選択はキー２１８を続けて押すことにより行われる。
【００２２】
選択されたモードの場合と同様に、選択されたレベルに関連する操作機能及び設定のみが表示スクリーン２１０に表示される。例えば、文書レベルが選択されるとホチキス止め等の仕上げオプションが表示され、ページレベルが選択されるとページ挿入モードが表示される。ここで重要なことは、レベル選択が表示スクリーン２１０上に常に見えているため、ユーザが入力中の選択のレベルを常に把握できることである。これにより、ユーザがモードを見失うことが防止される。各レベルにおいて同一の機能が生じ得ることに留意されるべきである。例えば、明るさ及びコントラストの設定は全てのレベルで実行され得る。これが文書レベルで実行されると、その設定は文書の全ページに適用される。しかし、ページレベル及び領域レベルでは、設定は特定のページ又は特定のページの特定の領域にのみ適用される。また、スクリーンに詳細に示される機能にかかわらず、選択されたレベルは常に変更されるよう適合されていることも重要である。
【００２３】
複写、スキャン、又は印刷等の各モードについて、及び、文書、ページ、又は領域レベル等の各レベルに対して設定されるべき機能又は選択されるべき設定は更に機能及び設定の群に分割されている。ここで、設定モード又は選択レベルについて、従来の標準機能又は設定とみなし得る機能及び設定の群との間で区別されている。この群を基本群と称す。基本群は、キー２２２により選択され、その選択は領域２２５に表示される。第２の群は複写品質設定に関連し、キー２２３により選択され、対応する領域２２６に表示される。再生装置１０２は、カラースキャン及び印刷に適しているので、この群をカラー群と称する。他の全ての設定は第３の群に含まれる。この群を特殊群と称する。キー２２４及び領域２２７は、この特殊群に対応している。
【００２４】
上記の群は、キー２２８及び２２９を使用可能としたまま、更に拡張することもできる。機能及び設定群の選択は、例えばコントラストの増加や関連する領域の別の表示により更に表示することができる。これに関連して、選択されていない機能群を示す領域が、比較的目立たないようにではあるが、スクリーン２１０に表示されることも重要である。実際、ユーザは常に選択している機能及び設定のモード、レベル、及び群の全体像を把握していなければならない。
【００２５】
最後に、キー２３０は、選択された機能及び設定群の部分群への分割を可能とする。図２に示す例では、複写がモードとして選択され、文書がレベルとして選択され、カラーが群として選択されている。この例では、バランス制御、最適化及び色処理の部分群を選択することができる。この場合、領域２３１、２３２、及び２３３はそれぞれ選択を示すのに用いられている。ここでも、やはり選択された及び選択されていない部分群は常にスクリーン２１０に表示される。
【００２６】
こうして決定された選択に対応する特定の機能又は設定は、最終的には、スクリーン２１０の他の部分に表示される。これらは、キー２３４〜２３７により選択可能である。部分群が存在しなければ、キー２３０もこの目的に使用可能である。選択は、キー２３５及び対応する領域２３８の如く、機能の起動又は終了より構成される。また、選択は、キー２３６により選択可能な白黒オプション設定、及び、それぞれ領域２３９及び２４０に示されるフルカラー又は赤色印刷の選択を含んでもよい。赤色印刷オプションが選択されると（２４０）、キーカーソル２４１を用いて種々の印刷色リストから選択することができる。このキーカーソルはキー２４２〜２４５の集合よりなる。キー２４２〜２４５は互いに独立に押され、矢じり状に示されている。縦向きのキー２４２及び２４３は、領域２４０の選択可能色の仮想縦リストをスクロールするのに用いられる。水平キー２４４及び２４５は、例えば領域２４６に表示される色バランス機能の選択の場合には、用いられる印刷色の量を制御するのに用いられる。キー２３４を続けて押すことにより、領域２４７〜２５０に表示される４つの可能な色を選択することができる。
【００２７】
上記した実施例は、機能選択及び設定調整のため物理的キーをうまく利用しているが、例えば、スクリーンに表示された領域自体がキーとして機能するタッチスクリーンを用いることも可能である。また、上記した選択は、デジタルペン、ローラボール、あるいはマウス等の公知の指示手段により行うこともできる。
続く図面を参照して操作について更に説明する。「機能」及び「設定」は、一貫して、実行すべき機能（ホチキス止め等）、及び必要な設定（明るさ等）を示すのに用いられる。
【００２８】
図３は、コピーモード、文書レベル、及び基本機能群が選択された場合に表示される表示スクリーン２１０の一例である。原稿及び複写が片面が両側かの指定に関連する機能は「原稿複写」３０１に示され、用いられる用紙フォーマットの選択に関連する機能は「用紙」３０２に示され、表紙を加えるか否か、加えるならばどこに加えるの指定に関連する機能は「表紙」３０３に示され、複写処理に関連する機能は「仕上げ」３０４に示され、サイズ変更に関連する機能は「拡大／縮小」（３０５）に示されている。選択は上記した図２の領域の下側に示されるキー２３０〜２３７により上記した方法で行われる。「仕上げ」３０４のソーティングオプション等のオプションの選択は、対応する領域３０６に枠を表示することで示される。用紙機能３０２のオプションＡ４（３０７）及び拡大／縮小機能３０５の１００％オプションの場合、図２に示すキー集合２４１により異なる値を選択することができる。例えば、用紙フォーマットとしてＡ４の代わりにＡ３又はＡ５を選択し、拡大率として１４１％を選択する等である。調整オプション３０７は、１番目のカセットトレイに存在する用紙を標準として表示する。ただし、このオプション３０７により、１番目のカセットトレイに存在しない別の用紙フォーマットを選択することもできる。ユーザによりジョブが実行されると、ユーザはスクリーン上のメッセージによって正しいフォーマットを１番目のカセットトレイに入れることを要求される。図３に表示される選択によれば機能の部分群への更なる分割は行われていないことにも留意されるべきである。
【００２９】
図４は、複写モード、文書レベル、カラー群、及びバランス制御部分群４０２が選択された場合に表示される表示スクリーンを示す。この部分群４０２に対応する機能は、「彩度」４０１、「コントラスト」４０２、及び「明るさ」４０３である。表示された目盛り上で設定が調整されるべき機能は、キー集合の縦向きキー２４２及び２４３の、シンボルディスプレイ４０４のコントラストの増加により表示される。このディスプレイ４０４は、目盛りの隣に示されている。これらのキーの１つを押すことにより、例えば、コントラストを増加又は減少させることができる。他のスケールの選択は、キー４０１から４０３のうち１つを押すことにより行われる。
【００３０】
図５は、複写モード、文書レベル、カラー群、及び最適化部分群５０１が選択された場合に表示される表示スクリーン２１０を示す。この部分群５０１に対応する機能は、原稿タイプ（「文書タイプ」５０２）、エッジ強調（「シャープネス」５０３）、及び背景削除（「背景削除」５０４）を示している。自動オプション５０５は、最適画像再生のための画像処理設定を行う。文書型式機能５０２の表示された他のオプションのうち、指定された文書形式に最適の画像処理設定が選択される。
【００３１】
図６は、複写モード、文書レベル、カラー群、及びカラー処理部分群６０１が選択された場合に表示される表示スクリーン２１０を示す。
図７、図８，及び図９は、それぞれ、複写モード、文書レベル、特殊群が選択され、それぞれ、分割部分群７０１、位置決め部分群８０１、及びフォーマット部分群９０１が選択された場合に表示される表示スクリーン２１０を示す。対応する機能は図面に示されており、自明である。
【００３２】
図１０は、特定のページが選択されるべき場合の表示スクリーン２１０を示す。表示された例において、複写モード１００１の状況が示されている。しかし、同一の選択メニューは、選択可能なモード「スキャン」１００２及び「印刷」１００３においても得られる。図１０において、基本群１００４、カラー群１００５、及び印刷群１００６等の機能群は未だ選択されていない。表示されている機能は、「空白ページ追加」１００７、「ページ除去」１００８、「ページを前に移動」１００９、及び、「ページを後に移動」１０１０である。これらの機能は、下方に配置された図２に示す対応するキー２３４〜２３７により選択可能である。特定ページの選択は、シンボル的に表示されたページ列１０１４のインジケータシンボルを移動させることにより行うことができる。シンボル１０１１により表されるページのジョブ番号が、ここでは標識として用いられる。インジケータシンボルを図２に示すキー集合２４１の水平キー２４４及び２４５により移動させることができる。特定のページだけではなく、一連のページを選択することもできる。複写及びスキャンの場合、表示された一連のページ１０１２は純粋に象徴的な列しか表示されない。既にスキャンされ、続いて印刷モードで印刷されなければならないページの場合、ページの内容は分かっている。従って、少なくとも列１０１２から選択されたページについて、有利なことに、ページの内容の縮小再生を表示することができる。必要ならば、選択されたページの拡大表示をスクリーン２１０の使用可能な部位に表示することができる。ページは、スキャンの他、外部から供給される印刷データをダウンロードすることによっても得られる。ここでは、印刷データが、外部又は内部のラスターモジュールにおいて、ポストスクリプト等のページ記述言語に従って、又は、ビットマップデータに応じて構成されるものとする。最後に、表示スクリーンが、機能群１００４〜１００６の１つが選択されない状態で、ページレベル１０１３を選択されたレベルとして表示していることに留意されるべきである。
【００３３】
一方、図１１は、複写モード１０１３でのページレベル１１０２において基本機能群１１０３が選択された場合の表示スクリーンを示す。選択のため表示された機能は、「付加」１１０４、「中間シート」１１０５、及び「カウント無し印刷」１１０６である。これらは全て特定のページに関連するため、ページ関連機能である。例えば、中間シートを一連のページに追加するには、その列を指定することが必要である。ページ列のどのページが変更不要であるかをユーザに示すこともできる。
【００３４】
図１２は、複写モード１２０１でのページレベル１２０２における色１２０３に関連する機能群及びバランス機能１２０４の部分群に対する表示スクリーン２１０を示す。文書レベル１２０５で同一の機能が選択され、その機能が文書の全ページに有効である図４に示す例とは対照的に、機能は選択されたページにのみ適用される。
【００３５】
図１３は、複写モード１３０４でのページレベル１３０３において特殊群１３０２のズーム部分群１３０１が選択された場合の表示スクリーン２１０を示す。表示された機能は、複数の受けシートにわたる複写の準備を行う４、１６、又は３２ページへの分配の選択可能なオプションを備える「ポスター」１３０５、選択されたページの画像縮尺を変更する「拡大／縮小」１３０６、又は、Ｘ及びＹ方向に異なる画像縮尺で拡大縮小する変形に用いられる「Ｘ／Ｙ拡大／縮小」１３０７である。「ポスター」機能１３０５及び「Ｘ／Ｙ拡大／縮小」機能１３０７は、デフォルト設定として選択されてはいない。
【００３６】
図１４は、複写モード１４０１での領域レベル１４０２において群１４０３及び１４０４が選択されていない場合の表示スクリーン２１０を示す。この場合、選択されたページ１４０７の領域１４０５を選択することができる。領域１４０５は、例えばマーキングペンで原稿の領域に枠を付けることにより得られたマーキング１４０６により指定されている。複写及びスキャンの間、選択されたページの内容はまだ不明であるため、ページ１４０７は象徴的に表示されるのみである。後述する如く、全てのスキャンされたページについて、選択されたページの内容を表示することができ、これにより、表示されたページを参照して他の何らかの方法で領域を選択することができる。
【００３７】
図１５は、複写モード１５０３での領域レベル１５０２における選択されたマーク基本群１５０１に対する表示スクリーン２１０を示す。表示された「マーキング方法」機能１５０４は、どのマーキング方法を用いるべきかについてのオプションを示す。「円」オプション１５０５は、マーキングペンにより予め付与されたマーキングに基づく領域選択を示し、一方、「黒枠」オブション１５０６は、領域の周囲に存在する黒枠に基づいて選択を実行する。
【００３８】
「内側領域除去」機能１５０７及び「外側領域除去」機能１５０８は、このように選択された領域について実行される基本的な機能である。
図１６は、複写モード１６０２での領域レベル１６０３においてマークカラー群１６０１が選択された場合の表示スクリーン２１０を示す。これに対応する機能は、例えば、背景又は前景に印刷すべき色の変更「背景マーク」１６０４及び「前景色変更」１６０５に関連している。背景色変更機能は、テキスト片の背景として目立つ色の追加を伴い、前景色変更機能は、テキスト自体の色の変更を伴っている。所望の色もまた図２に示すキー集合２４１により選択することができる。
【００３９】
図１７は、スキャンモード１７０１での文書レベル１７０２における基本群１７０３が選択された場合の表示スクリーンを示す。表示された機能は、複写モード１７０７に関連する図３に示す場合と比較して機能１７０４〜１７０６に減少されている。図３に示す「表紙」３０３及び「仕上げ」３０４等の印刷に関連する機能は、スキャンモード１７０１では当然不要である。表示すべき最も重要なことは、スキャンのため供給された原稿が片面か両面かを指定する「原稿」１７０４、そのフォーマットを指定する「原稿フォーマット」１７０５、及び、一定の場合に書籍のスキャンに関するものか否かを指定する「分割複写」１７０６である。
【００４０】
図１８は、スキャン又は外部供給により内部メモリに既に格納された文書の印刷が要求される印刷モード１８０１での表示スクリーン２１０を示す。基本群１８０２、カラー群１８０３、及び特殊群１８０４が選択されていなければ、表示スクリーン２１０は、既に処理され、又は処理されていないジョブのリスト１８０５を表示する。状態欄は、ジョブが既に処理された（×）か、更なる処理を待っている（○）か、処理中（＾）か、又は、未だ待機中（無印）かを示す。枠により示される選択されたジョブについて、「ジョブ前方移動」機能１８０６及び「ジョブ延期」機能１８０７により、リスト１８０５における位置を変化させることができる。「ジョブ除去」１８０８により選択されたジョブを除去することもでき、また、「全ジョブ除去」１８０９により全てのジョブを除去することもできる。「コントローラへ送信」１８１０により選択されたジョブをワークステーション等の外部機器へ送ることもできる。リスト１８０５は、ジョブ文書の由来（スキャンにより得られたか、複写により得られたか）等のジョブに関連する情報を表示することもできる。
【００４１】
続く図面を参照して、印刷モードの選択を、上述した複写モードの対応する選択と比較する。表示される１又は２以上の機能がこれらのモード間で異なることが多いことは明らかである。このため、ユーザは事実上両モードにおいて類似の操作方法に対応することになるが、両モードにおける所望の又は可能性のある機能の点で違いに遭遇することもあり得る。
【００４２】
図１９は、印刷モード１９０１での文書レベル１９０２において基本機能群１９０３に対して表示される表示スクリーン２１０を示す。図３に示す複写モードの場合の対応する選択に関して、「複写機能」１９０４のみが図３の「原稿＞複写」機能３０１と置き換わっている。
図２０は、印刷モード２００１での文書レベル２００２においてカラー群機能２００３の文書設定部分群２００４に対して表示される表示スクリーン２１０を示す。複写モードの場合の図５に示す対応する選択に関して、背景除去機能５０４は存在しない。
【００４３】
図２１は、印刷モード２１０１での文書レベル２１０２における特殊群２１０３のフォーマット部分群２１０４に対して表示される表示スクリーン２１０を示す。複写モードの場合の図９に示す対応する選択に関して、「向き・綴じエッジ」機能２１０５は、カレンダーフォーマット２１０６、２１０７、又は書籍フォーマット２１０８、２１０９での集合印刷オプションを有している。複写モードでは、この機能により複写シート上のテキスト位置の調整のみを行うことができる。
【００４４】
図２２は、印刷モード２２０１でのページレベル２２０２において、機能群が未だ選択されていない場合に表示される表示スクリーンを示す。この場合、ユーザは、一連のページから印刷する１又は２以上のページを容易に選択することができる。この表示は、図１０に示す複写モードの対応する表示と実際上同一である。ただし、種々のページの内容が分かっているので、有利にも選択されたページの内容の縮小表示２２０３が使用できる点が異なっている。
【００４５】
図２３は、印刷モード２３０１でのページレベル２３０２における特殊群２２０３のズーム部分群２３０４に対して表示される表示スクリーン２１０を示す。ここで、表示された機能は、図１３に示す複写モードの対応する表示と同一である。
最後に、図２４は、印刷モード２４０１での領域レベル２４０２において、機能群が未だ選択されていない場合に表示される表示スクリーンを示す。ユーザは、選択された領域を選択することができる。図１４に示す複写モードでの対応する選択とは対照的に、領域選択を行い得る他の方法が設けられている。選択ページの内容を縮小して表示できるため、例えばキー集合２４１を用いて左上のコーナー点２４０４及び右上のコーナー点２４０３を指定することにより、ページ内で選択用矩形領域２４０５を遡って指定することができる。
【００４６】
最後に、図２５及び図２６は、印刷モード２５０１、２６０１での２つの異なる選択の例を示す。
上記実施例において、基本、カラー、及び特殊機能群を選択しないことにより得られる表示スクリーンにより、文書、ページ、及びページの領域を選択することができる。レベルが選択されると、先ず、そのレベルに属する文書、ページ又は領域の選択スクリーンが表示される。上記群は標準としては未だ選択されていない。
【００４７】
上記実施例は、ユーザには、用いられる再生装置が、複写機、スキャナー、及びプリンターの３つの機械のうち１つとして機能する複合装置として提供されることをも特徴としている。
図２７は、操作の別の実施例を示す。本実施例において、ユーザは、新規ジョブ生成２７０１、又は、既存ジョブ処理実行２７０２を選択することができる。ここで、「ジョブ」とは、仕上げについて対応する指定を有する文書をいう。既存ジョブは、早い段階で定義されたジョブ、又は、ダウンロードされ、再生装置のメモリ手段に格納された印刷ジョブである。一方、「新ジョブ」２７０１の場合には、ユーザは、どの文書を定義したいかに基づいて指定しなければならない。ここで、ユーザは、複写を行う「新規複写」２７０４、スキャンのみを行う「新規スキャン」２７１８、既に格納された１又は２以上のページを揃える「新規セット」２７０５又は、既に格納された文書のリスト２７０６からの文書（２７０７）の選択の何れかにより文書を選択することができる。文書源の選択は、キー集合２４１により行うことができる。実際の選択は対応するキー集合シンボル２７０８のコントラストの増加により表示される。
【００４８】
基本群２７０９、カラー群２７１０、又は特殊群２７１１の１つが選択されると、表示スクリーン２１０は、第１実施例に関連して説明したのと同じ選択オプションを表示する。「新規複写」２７０４、「新規スキャン」２７０５、「新規セット」２７１８、又は「既存セット」２７０７の何れが選択されるかに応じて、第１実施例で説明した複写モード、スキャンモード、及び印刷モードにそれぞれ属する選択オプションが表示される。複写、スキャン、又は印刷等の新規ジョブのソースが指定されると、文書のページ、又は選択されたページの領域の選択が第１実施例の場合と同様に行われる。例えば複写モードについては図１０及び図１４において、また、印刷モードについては図２２及び図２４において説明した通りである。第１実施例と異なるのは、モードは選択可能ではなく、第１実施例で説明したようには表示されない点である。第１実施例においてこの目的のため確保されていた図２に示す領域２１４、２１５、２１６は、図２７において領域２７０１、２７０２、２７０３に置き換えられている。これに関連して、両実施例において、再生装置が動作するモードもまた、それぞれ、図２及び図２７に示すメッセージ領域２１７及び２７１５に、再生装置が終了したか、準備できたか、複写中か、スキャン中か、印刷中かを示すメッセージにより表示される点に留意されるべきである。これに関連して、第２のメッセージ領域２１７及び２７１５は、例えば、再生装置が特定の文書の印刷中であり、新規文書のスキャンが可能であることを示す第２のメッセージを表示してもよい。その結果、表示スクリーンは、再生装置が互いに独立な種々のタスクの実行中する状況を反映することになる。
【００４９】
新規ジョブ形成用の文書源を選択する選択オプションは、図２７に示す「文書選択」領域２７１２を起動することにより選択される。対応するスクリーンは図２７に示されている。
更に、他のジョブ関連情報について、図面には示さないスクリーン２１０の他の表示を選択することができる。例えば、生成されるべき新規ジョブについての設定を選択するスクリーンである「保持設定」２７１３を呼び出すことができる。この「保持設定」２７１３は、複写ジョブ、スキャンジョブ、又は印刷ジョブ、又は、複写ジョブのみについての設定の複数の組からの選択を伴い得る。
【００５０】
ジョブに関連する補助情報を保持し又は表示するスクリーンである「ジョブ情報」２７１４を表示することもできる。
「文書除去」２７１５、「全文書除去」２７１６、及び「文書アップロード」２７１７の各機能により、文書のそれぞれを除去し、又は、外部機器に送ることができる。
【００５１】
再生装置の状態に関連する全体像を「機器状態」２７０３に表示することもできる。「機器状態」２７０３は、カセットでの複写シートの貯蔵量、存在するトナー又はインクの量、電気的画像信号の格納に使用可能なメモリ空間の量等を含む。
最後に、図２８は、既存ジョブの管理を行う「ジョブ管理」２８０１が選択された場合に得られる表示スクリーン２１０を示す。ジョブ２８０３のリスト２８０２が表示され、このリストからキー集合２４１によりジョブを選択することができる。このリストは、機能２８０４〜２８０９により修正され得る。図２８は、図１８に示す第１実施例のスクリーンと非常に近似している。第１実施例と異なるのは、第２実施例では、文書選択用スクリーンの選択が、文書設定選択に表示されない点である。第２実施例において、異なる文書に対して、先ず図２７に表示される基本選択スクリーンに従って文書を選択することが必要である。
【００５２】
実行を待つジョブのリスト「ジョブキュー」２８１０又は既に終了したジョブのリスト「終了ジョブ」２８１１を選択することができる。更に、選択ジョブに関連する情報を表示する「ジョブ情報」２８１２、選択された設定及び選択されたジョブに対する機能を表示する「ジョブ設定」２８１３又は選択されたジョブに関連するユーザによる補助命令を備える「ユーザ命令」２８１４の各スクリーンを選択することができる。
【００５３】
スクリーン２１０がカラー表示に適しているならば、両実施例において、対応するスクリーンに選択されたモードに特有の色パレットを割り当てることにより選択されたモードを示すことが有利である。例えば、複写モードに対して緑系、スキャンモードに対して茶系、印刷モードに対して青系を用いることができる。図２９は、本発明に係る再生装置２９０１の構成を示す。再生装置２９０１は、供給される文書シートを光電的にスキャンするのに適したスキャナー手段２９０２を備えている。スキャンにより得られる電気的画像信号はメモリ手段（２９０３）に格納され、又は、外部機器２９１０へ供給される。メモリ手段２９０３に格納された電気的画像信号、又は、外部装置２９１０から由来する電気的画像信号を、これらを文書に印刷する印刷手段２９０４に供給することができる。
【００５４】
スキャナー手段２９０２、メモリ手段２９０３、及び、印刷手段２９０４は、操作手段２９０６と同様に、制御手段２９０５により制御される。操作手段２９０６は、表示スクリーン２９０７、第１の選択手段２９０８、及び第２の選択手段２９０９を備えている。ユーザが操作する選択手段２９０８及び２９０９は、第１及び第２の操作信号を生成して制御手段２９０５へ供給する。制御手段２９０５に供給された第１及び第２の操作信号より、制御手段２９０５はスキャナー手段２９０２、メモリ手段２９０３、印刷手段２９０４、及び表示スクリーン２９０７に適用される制御信号を生成する。表示スクリーン２９０７は供給される制御信号に基づいて選択手段２９０８及び２９０９により選択された設定及び機能を表示するのに適している。
【図面の簡単な説明】
【図１】選択可能装置機能用表示スクリーンを備える再生装置の構成図である。
【図２】本発明の第１実施例に係る、キーに対応付けられた図１の表示スクリーンの詳細を示す図である。
【図３】複写用文書の全ページに対する標準装置機能を含む標準開始スクリーンを示す図である。
【図４】複写用文書の全ページに対する複写品質機能を含む選択可能スクリーンを示す図である。
【図５】複写用文書の全ページに対する複写品質機能を含む選択可能スクリーンを示す図である。
【図６】複写用文書の全ページに対する複写品質機能を含む選択可能スクリーンを示す図である。
【図７】複写用文書の全ページに対する特殊機能を含む選択可能スクリーンを示す図である。
【図８】複写用文書の全ページに対する特殊機能を含む選択可能スクリーンを示す図である。
【図９】複写用文書の全ページに対する特殊機能を含む選択可能スクリーンを示す図である。
【図１０】複写用文書のページ選択用ページ選択スクリーンを示す図である。
【図１１】文書の複写されるべき特定のページに対する標準機能用選択可能スクリーンを示す図である。
【図１２】文書の複写されるべき特定のページに対する複写品質機能用選択可能スクリーンを示す図である。
【図１３】文書の複写されるべき特定のページに対する特殊機能用選択可能スクリーンを示す図である。
【図１４】文書の複写用ページの領域選択用領域選択スクリーンを示す図である。
【図１５】複写用ページの標準領域機能用選択可能スクリーンを示す図である。
【図１６】複写用ページの特殊領域機能用選択可能スクリーンを示す図である。
【図１７】スキャン用文書の全ページ用標準機能を含むスクリーンを示す図である。
【図１８】印刷用文書選択用文書選択スクリーンを示す図である。
【図１９】印刷用文書の全ページの標準機能用選択可能スクリーンを示す図である。
【図２０】印刷用文書の全ページの複写品質装置機能用選択可能スクリーンを示す図である。
【図２１】印刷用文書の全ページの特殊装置機能用選択可能スクリーンを示す図である。
【図２２】印刷用文書のぺージ選択用ページ選択スクリーンを示す図である。
【図２３】印刷用ページに対する特殊機能を含むスクリーンを示す図である。
【図２４】印刷用ページの領域選択用選択スクリーンを示す図である。
【図２５】印刷用ページの一部についての複写品質機能用選択可能スクリーンを示す図である。
【図２６】印刷用ページの一部についての特殊機能用選択可能スクリーンを示す図である。
【図２７】本発明の第２実施例に係る標準開始スクリーンを示す図である。
【図２８】本発明の第２実施例に係る印刷用ジョブの選択可能スクリーンを示す図である。
【図２９】本発明に係る再生装置の構成図である。
【符号の説明】
１０１  操作手段
１０４  スキャナー手段
１０２  再生装置
２１０  画面スクリーン
２９０１  再生装置
２９０２  スキャナー手段
２９０３  メモリ手段
２９０４  印刷手段
２９０５  制御手段
２９０６  操作手段
２９０７  表示スクリーン
２９０８  第１の選択手段
２９０９  第２の選択手段
２９１０  外部装置
【図１】
0003929584.tif 000002
【図２】
0003929584.tif 000003
【図３】
0003929584.tif 000004
【図４】
0003929584.tif 000005
【図５】
0003929584.tif 000006
【図６】
0003929584.tif 000007
【図７】
0003929584.tif 000008
【図８】
0003929584.tif 000009
【図９】
0003929584.tif 000010
【図１０】
0003929584.tif 000011
【図１１】
0003929584.tif 000012
【図１２】
0003929584.tif 000013
【図１３】
0003929584.tif 000014
【図１４】
0003929584.tif 000015
【図１５】
0003929584.tif 000016
【図１６】
0003929584.tif 000017
【図１７】
0003929584.tif 000018
【図１８】
0003929584.tif 000019
【図１９】
0003929584.tif 000020
【図２０】
0003929584.tif 000021
【図２１】
0003929584.tif 000022
【図２２】
0003929584.tif 000023
【図２３】
0003929584.tif 000024
【図２４】
0003929584.tif 000025
【図２５】
0003929584.tif 000026
【図２６】
0003929584.tif 000027
【図２７】
0003929584.tif 000028
【図２８】
0003929584.tif 000029
【図２９】
0003929584.tif 000030